(57)【要約】【課題】引き出した吐水部（吐水ヘッド）を吐水管部（スパウト）に戻す際に、円滑で好適に給水ホースを吐水管部の挿通孔に引き込ませることを可能にする吐水装置及びこれを備えた洗面台を提供すること。【解決手段】管状の吐水管部１１と、吐水口を有し、吐水管部１１の先端側に着脱可能に設けられる吐水部１２と、吐水管部１１の内空の通水孔に挿通し、吐水部１２に接続された給水ホース１５とを備える吐水装置Ｂ２において、給水ホース１５に、吐水部１２を吐水管部１１に装着する際に、給水ホース１５に対し、自重によって引き込み力を加える錘部材２８を具備する。【選択図】図１
2020026668.tif 000002
【特許請求の範囲】
【請求項１】
管状の吐水管部と、吐水口を有し、吐水管部の先端側に着脱可能に設けられる吐水部と、前記吐水管部の内空の通水孔に挿通し、前記吐水部に接続された給水ホースとを備える吐水装置において、
前記給水ホースは、前記吐水部を前記吐水管部に装着する際に、前記給水ホースに対し、自重によって引き込み力を加える錘部材を備える吐水装置。
【請求項２】
前記給水ホースが挿入して配設される前記吐水装置の前記通水孔が複数の屈曲部を備えて形成されている請求項１記載の吐水装置。
【請求項３】
横方向を向く取付け面に固定される台座部と、
後端を前記台座部に接続して延設される管状の前記吐水管部と、
前記吐水管部の先端側に着脱可能に設けられる前記吐水部と、
前記台座部と前記吐水管部の内空の通水孔に挿通し、前記吐水部に接続された前記給水ホースとを備え、
前記吐水管部が、前記台座部に前記後端の下端を接続して上方に延びる立上り部と、前記立上り部の上端に後端を繋げ、上方に凸の円弧状に形成された湾曲部とを一体に備えて形成され、
前記台座部が、屈曲した前記通水孔を備えて形成されている請求項１または請求項２に記載の吐水装置。
【請求項４】
前記給水ホースが樹脂製ホースである請求項１から請求項３のいずれか一項に記載の吐水装置。
【請求項５】
水受け可能なボウル部と、
前記ボウル部の後方に設けられ、上方に突設された壁部とを備え、
前記壁部を前記取付け面とし、請求項１から請求項４のいずれか一項に記載の吐水装置を固定した洗面台。
【発明の詳細な説明】
【技術分野】
【０００１】
本発明は、吐水装置及びこれを備えた洗面台に関する。
【背景技術】
【０００２】
従来、キッチンカウンターや、トイレ、洗面所の洗面化粧台などには、ハンドル（操作レバー）を備えた水栓装置と、水栓装置から水や湯が供給されて吐出する吐水装置とからなる混合水栓システムが多用されている。また、一般に、水栓装置や吐水装置は、キッチンカウンターや洗面台の天板などに固定して設置されている。
【０００３】
一方、特許文献１には、壁面に取付けられる基部と、先端側に設けられ、湯水を吐水する吐水口を有する可動部（吐水部）と、可動部を可動させる関節部と、基部を通って可動部に接続され、給水源からの湯水を給水するための通水部材とを備えた水栓装置／吐水装置が開示されている。また、関節部は、通水部材に直交する回転軸を中心に回動するように形成され、関節部の内側において、通水部材が関節部とは別体として配置されている。
【０００４】
特許文献１の水栓装置／吐水装置では、洗面化粧台などの壁面から通水部材が前方に突出し、通水部材と別体の関節部を介して先端に可動部が接続して設けられている。このため、可動部（吐水口）の向きを関節部によって自在に変えることができる。
【０００５】
また、特許文献２には、吐水管部（スパウト）を上方に凸の円弧状に形成したグースネック形状の吐水装置、さらに、吐水管部の先端側に着脱可能に吐水部（吐水ヘッド）を設け、吐水管部の内部の挿通孔（通水孔）に挿通した給水ホースを吐水部に接続して構成した吐水装置が開示されている。
【０００６】
この吐水装置においては、使用者が吐水部を手で握り、吐水管部から取り外して給水ホースとともに引き出すことによって、任意の方向、位置の広範で湯水を吐出でき、使い勝手をよくすることができる。
【先行技術文献】
【特許文献】
【０００７】
【特許文献１】特開２００３−２９３４１２号公報
【特許文献２】特開２０１７−２０１９４号公報
【発明の概要】
【発明が解決しようとする課題】
【０００８】
ここで、吐水管部の先端側に吐水部を引き出し可能（着脱可能）に設けた吐水装置においては、引き出した吐水部を吐水管部に戻して保持させる際に、引き出された給水ホースが吐水部と吐水管部の相対的な角度によって円滑に吐水管部の挿通孔に引き込まれないことがあり得る。
【０００９】
特に、外装（外皮）を金属で形成した給水ホースに対し、外装を樹脂で形成した樹脂製の給水ホースを用いた場合には、金属製の給水ホースよりも軽量で、可撓性に優れているため、これに起因し、吐水部と吐水管部の相対的な角度によって円滑に吐水管部の挿通孔に給水ホースが引き込まれない現象が発生し得る。
【００１０】
また、グースネック形状の吐水装置、さらに吐水管部の曲率半径を小さくして吐水装置のコンパクト化を図るほど、吐水部と吐水管部の相対的な角度によって円滑に吐水管部の挿通孔に給水ホースが引き込まれない現象が発生しやすくなる。
【００１１】
本発明は、上記事情に鑑み、引き出した吐水部（吐水ヘッド）を吐水管部（スパウト）に戻す際に、円滑で好適に給水ホースを吐水管部の挿通孔に引き込ませることを可能にする吐水装置及びこれを備えた洗面台を提供することを目的とする。
【課題を解決するための手段】
【００１２】
本発明者は、引き出した吐水部（吐水ヘッド）を吐水管部（スパウト）に戻す際に、円滑で好適に給水ホースを吐水管部の挿通孔に引き込ませる手段を見出し、本発明を完成するに至った。
【００１３】
（１）本発明の吐水装置は、管状の吐水管部と、吐水口を有し、吐水管部の先端側に着脱可能に設けられる吐水部と、前記吐水管部の内空の通水孔に挿通し、前記吐水部に接続された給水ホースとを備える吐水装置において、前記給水ホースは、前記吐水部を前記吐水管部に装着する際に、前記給水ホースに対し、自重によって引き込み力を加える錘部材を備えることを特徴とする。
【００１４】
（２）本発明の吐水装置は、上記（１）の吐水装置において、前記給水ホースが挿入して配設される前記吐水装置の前記通水孔が複数の屈曲部を備えて形成されていてもよい。
【００１５】
（３）本発明の吐水装置は、上記（１）または（２）の吐水装置において、横方向を向く取付け面に固定される台座部と、後端を前記台座部に接続して延設される管状の前記吐水管部と、前記吐水管部の先端側に着脱可能に設けられる前記吐水部と、前記台座部と前記吐水管部の内空の通水孔に挿通し、前記吐水部に接続された前記給水ホースとを備え、前記吐水管部が、前記台座部に前記後端の下端を接続して上方に延びる立上り部と、前記立上り部の上端に後端を繋げ、上方に凸の円弧状に形成された湾曲部とを一体に備えて形成され、前記台座部が、屈曲した前記通水孔を備えて形成されていてもよい。
【００１６】
（４）本発明の吐水装置は、上記（１）から（３）のいずれかの吐水装置において、前記給水ホースが樹脂製ホースであってもよい。
【００１７】
（５）本発明の洗面台は、水受け可能なボウル部と、前記ボウル部の後方に設けられ、上方に突設された壁部とを備え、前記壁部を前記取付け面とし、上記（１）から（４）のいずれかの吐水装置を固定したことを特徴とする。
【発明の効果】
【００１８】
本発明においては、錘部材を給水ホースの所定位置に予め取り付けておくことにより、吐水部を吐水管部の先端側に移動して保持させる際に、給水ホースに取り付けられた錘部材の重さによって、給水ホースが円滑に通水孔（挿通孔）を通って引き込まれることになる。これにより、例えば、本実施形態のようにグースネック形状の吐水管部や樹脂製の給水ホースを採用した場合であっても、給水ホースが円滑に引き込まれないという不都合を解消することができる。
【００１９】
したがって、本発明によれば、吐水部の着脱を好適に行うことが可能になり、使い勝手のよい吐水装置及び洗面台を実現することができる。
【図面の簡単な説明】
【００２０】
【図１】本発明の一実施形態に係る洗面台を示す斜視図である。
【図２】本発明の一実施形態に係る水栓装置と吐水装置からなる混合水栓システム、及び洗面台を示す斜視図である。
【図３】本発明の一実施形態に係る水栓装置と吐水装置からなる混合水栓システムを洗面器の背面側から見た図である。
【図４】本発明の一実施形態に係る吐水装置を示す断面図である。
【図５】本発明の一実施形態に係る吐水装置の吐水部（吐水ヘッド）及び給水ホースを引き出した状態を示す図である。
【図６】本発明の一実施形態に係る吐水装置の吐水管部（及び吐水部）が回動可能に構成されていることを示す図である。
【図７】本発明の一実施形態に係る吐水装置の錘部材を示す図である。
【発明を実施するための形態】
【００２１】
以下、図１から図７を参照し、本発明の一実施形態に係る吐水装置及び洗面台について説明する。
【００２２】
本実施形態の洗面台Ａは、例えば、図１及び図２に示すように、下部収納キャビネット１と、下部収納キャビネット１の上方に設けられた洗面器２と、洗面器２内に水や湯を吐出させる混合水栓システムＢとを備えて構成されている。なお、本実施形態の洗面台Ａは、洗面器２の上方にミラーキャビネット（上部収納キャビネット）を備え、洗面化粧台として構成しても勿論構わない。
【００２３】
洗面器２は、水受け可能な洗面ボウルのボウル部３と、ボウル部３の後方に設けられ、且つ左右の幅方向一側端から他側端まで延設されるとともに上方に突設された後方壁部（壁部）４とを備えて形成されている。
【００２４】
本実施形態の後方壁部４は、下端から上端に向かうに従い漸次その厚さが小となるように、ボウル部３側の前壁面（横方向を向く取付け面）を下端から上端に向かうに従い漸次後方に傾斜する傾斜面（略垂直の取付け面）として形成されている。
【００２５】
混合水栓システムＢは、図１、図２、図３に示すように、水栓本体５及びハンドル６からなる水栓装置Ｂ１と、水栓装置Ｂ１のハンドル操作に応じて水や湯を吐出する吐水装置Ｂ２とで構成されている。
【００２６】
水栓本体５は、下方に水及び湯の各々の流入口と水又は湯水の流出口とを備えている。水栓本体５の水及び湯の各々の流入口には、入水管７、入湯管８が挿入して接続されている。流出口には、弾性力を有する連結ホース９が挿入して接続されている。また、入水管７と入湯管８はそれぞれ、給水源、給湯源に接続されている。
【００２７】
水栓本体５の内部には、水と湯の混合、水又は湯の開閉を行うバルブユニットが設けられている。そして、水栓本体５に取り付けられたハンドル６を適宜操作することによって、バルブユニットの操作、すなわち、湯の温度調整、吐水、止水操作を行うことができる。
【００２８】
本実施形態の吐水装置Ｂ２は、図４（図１、図２、図３）に示すように、洗面台Ａに取り付けて吐水装置Ｂ２を固定するための台座部１０と、台座部１０に後端を接続して設けられる吐水管部１１と、吐水管部１１の先端に設けられ、水又は湯を吐出する吐水部１２とを備えて構成されている。なお、本実施形態では、図５に示すように、吐水部１２が吐水ヘッドとされ、吐水管部１１に対して着脱可能に設けられている。
【００２９】
図４（図１、図２、図３）に示すように、台座部１０は、吐水装置Ｂ２を洗面台Ａに接続固定するためのものであり、その中心に給水ホース１５を挿通する挿通孔（内空の通水孔）１６が貫通形成され、略管状（略筒状）に形成されている。また、本実施形態の台座部１０は、洗面台Ａに固定するための固定部１０ａと、吐水管部１１の後端／下端が接続される接続部１０ｂとを備えている。さらに、固定部１０ａは、挿通孔１６の軸線Ｏ１が横方向(略横方向)を向くように形成され、接続部１０ｂは、挿通孔１６の軸線Ｏ２が上下方向（略上下方向）を向くように形成されている。これにより、本実施形態の台座部１０は、固定部１０ａと接続部１０ｂが屈曲して略Ｌ字状に形成されている。すなわち、台座部１０は、屈曲した挿通孔（通水孔）１６を備えて形成されている。
【００３０】
さらに、本実施形態の台座部１０は、固定部１０ａの挿通孔１６の軸線Ｏ１と接続部１０ｂの挿通孔１６の軸線Ｏ２とが鈍角、すなわち、９０度よりも大きな角度θで交差するように形成されている。
【００３１】
台座部１０は、洗面器２の後方壁部４の前壁（前壁面、取付け面）４ａの所定位置に貫通形成された貫通孔１７を介して、後方壁部４の前壁４ａの背面側、すなわち、後方壁部４の内部に設けられたホースガイド１８とビス２９を用いて接続されている。そして、後方壁部４の前壁４ａを固定部１０ａとホースガイド１８で挟み込むようにして後方壁部４の所定位置に固定して設置されている。なお、このとき、台座部１０の固定部１０ａと後方壁部４の前壁４ａの間に止水パッキンが介設され、この部分の止水性能が確保されている。
【００３２】
台座部１０には、固定部１０ａの下端／下面に台座部１０や吐水管部１１の挿通孔１６に入り込んだ水を外部に排出するための水抜き孔１９が貫通形成されている。
【００３３】
ここで、本実施形態の給水ホース１５は、樹脂製ホースであり、例えば、架橋ポリエチレン管の外側をポリエチレンテレフタレート樹脂製の繊維織物／繊維シートで一体に被覆するなどして形成されている。これにより、本実施形態の給水ホース１５は、従来の塩化ビニル管の外側に金属材を被覆するなどして形成した給水ホースと比較し、非常に軽量で、且つ可撓性に優れたものとなっている。
【００３４】
次に、本実施形態の吐水管部１１は、一体形成された管状の部材であり、台座部１０の接続部１０ｂに下端／後端を接続して上方に延びる立上り部１１ａと、立上り部１１ａの上端に後端が繋がり、上方に凸の円弧状に形成された湾曲部１１ｂと、湾曲部１１ｂの先端から軸線Ｏ４が前方に向かうに従い漸次下方に傾斜するように直線状に延びるストレート部１１ｃとを備えて形成されている。すなわち、本実施形態の吐水管部１１（吐水装置Ｂ２）は、いわゆるグースネック形状のスパウト（吐水装置Ｂ２）として構成されている。
【００３５】
また、吐水管部１１には、ストレート部１１ｃの内部に後端側を嵌合固定し、先端側をストレート部１１ｃひいては吐水管部１１の先端から軸線Ｏ４方向外側に突出した管状の保持部材１１ｄが取り付けられている。
【００３６】
本実施形態の吐水管部１１の立上り部１１ａは、その軸線Ｏ３方向が水平方向に対して９０度±５度となるように垂直（略垂直）に配設されている。
【００３７】
吐水管部１１は、図４、図６に示すように、台座部１０の接続部１０ｂに、継手部材２０を介して上下方向に延びる軸線Ｏ２、Ｏ３周りに回動可能に接続されている。
【００３８】
より具体的に、継手部材２０は、略円管状に形成され、その下端側（略下半部）を台座部１０の接続部１０ｂの挿通孔（内空の通水孔）１６に互いの軸線が同軸上に配されるように嵌合させ、上端側（略上半部）を接続部１０ｂの上端から上方に突出させて配設されている。また、継手部材２０は、止め具であるストップリング２１を用いて下端側が台座部１０の接続部１０ｂに固定されている。
【００３９】
このように台座部１０に取り付けられた継手部材２０の上端側を、吐水管部１１の立上り部１１ａの下端から挿通孔１６内に嵌合させると、吐水管部１１が立上り部１１ａと継手部材２０ひいては台座部１０の接続部１０ｂの互いの軸線Ｏ２、Ｏ３が同軸上に配され、この状態で吐水管部１１と台座部１０が接続される。また、継手部材２０と吐水管部１１の立上り部１１ａとが止め具であるストップリング２１を用いて結合されるとともに、このストップリング２１が継手部材２０の上端側に軸線Ｏ２、Ｏ３周りに回動可能に接続されている。
【００４０】
これにより、本実施形態の吐水装置Ｂ２では、吐水管部１１が台座部１０に対して上下方向に延びる軸線Ｏ２、Ｏ３周りに回動可能に設けられている。
【００４１】
継手部材２０には、その外面に、径方向内側に凹み、周方向に繋がる環状の止水材保持溝が下端側に１つ、上端側に２つ形成され、これら止水材保持溝にＯリングなどの止水部材２２が嵌合して取り付けられている。これにより、吐水管部１１と台座部１０の接続部の止水性能が好適に確保されるとともに、ガタツキがなく、所望の摺動摩擦力（回転操作力）が生じるようにして、好適に吐水管部１１が回動可能に設けられている。
【００４２】
また、継手部材２０は、図４に示すように、下端の前方側の吐水部１２側が後方側の洗面器２の後方壁部４側よりも下方に延出して形成されている。この継手部材２０の延出部分である延出嵌合部２０ａが台座部１０の接続部１０ｂに大きく入り込んで嵌合する。これにより、吐水管部１１を回動可能に構成した場合であっても、継手部材２０ひいては吐水管部１１と台座部１０の接続部分の耐力を十分に確保することができる。
【００４３】
本実施形態では、台座部１０の接続部１０ｂの前方側の内面に段部２３が設けられており、この段部２３に係合するように継手部材２０にも段部２３が設けられている。そして、互いの段部２３が係合するように継手部材２０の下端側を台座部１０の接続部１０ｂに挿入すると、継手部材２０が位置決めされて、好適に延出嵌合部２０ａが台座部１０の接続部１０ｂの内部に深く入り込んだ状態で嵌合する。これにより、吐水管部１１を回動可能に構成した場合であっても、さらに確実に、継手部材２０ひいては吐水管部１１と台座部１０の接続部分の耐力を確保することができる。
【００４４】
本実施形態の継手部材２０は、その後方側の下端側に、台座部１０の内面の固定部１０ａと接続部１０ｂを繋ぐ上方部分に形成された内側に凸の屈曲角部２４よりも下方に延出してなる角部下方延出部２０ｂが設けられている。
【００４５】
角部下方延出部２０ｂが継手部材２０に設けられていることによって、給水ホース１５の引き出し、引き込みを円滑に行うことができる。また、角部下方延出部２０ｂを備えることで、台座部１０の挿通孔１６に挿通した樹脂製の給水ホース１５が屈曲角部２４に直接当たることを防止できる。
【００４６】
一方、本実施形態の吐水部１２は、吐水管部１１に対して着脱可能な吐水ヘッドであり、略管状（略筒状）の吐水部本体１２ａと、吐水部本体１２ａの先端側に設けられた吐水口１２ｂとを備えて構成されている。
【００４７】
吐水部本体１２ａは、その内部に切替機構（切替ユニット）２６に一端を接続して給水ホース１５が挿通配置されている。
【００４８】
なお、給水ホース１５は、図１、図３に示すように、他端が連結部材２７を介して連結ホース９に接続されている。
【００４９】
吐水部１２は、吐水部本体１２ａの後端側の内部が嵌合凹部とされ、吐水管部１１のストレート部１１ｃに取り付けられた保持部材１１ｄの先端側を嵌合凹部に嵌合することによって、吐水管部１１に対して着脱可能に保持されている。吐水部本体１２ａは、吐水管部１１に取り付けて保持された状態で、その軸線が吐水管部１１のストレート部１１ｃの軸線Ｏ４と同軸上に配されるように形成されている。
【００５０】
吐水口１２ｂは、ストレートとシャワーなど、吐水状態を切替えるための操作つまみ（レバー）２５を有する切替機構２６を吐水部本体１２ａの先端側に取り付けて形成されている。
【００５１】
また、切替機構２６は、吐水管部１１の先端に吐水部１２を取り付けた状態で、吐水口１２ｂから吐出される湯水の吐水軸線（吐水方向）Ｏ５が吐水部本体１２ａの軸線Ｏ４に対し、前方に向かうに従い漸次下方に傾斜するように設けられている。これにより、吐水管部１１の先端に吐水部１２を取り付けた状態で吐水を行った際に、湯水が洗面器２のボウル部３の好適な位置に吐出される。
【００５２】
本実施形態では、吐水軸線Ｏ５が下方を向くように吐水口１２ｂ、切替機構２６が設けられることにより、切替機構２６の下端が吐水部本体１２ａの下端よりも下方に配され、且つ切替機構２６の上端及び操作つまみ２５が吐水部本体１２ａの上端よりも下方に配されるように構成されている。
【００５３】
ここで、上記構成からなる本実施形態の吐水装置Ｂ２においては、吐水部１２を手で握り、吐水管部１１の先端の保持部材１１ｄから吐水部１２を取り外し、吐水部１２とともに給水ホース１５を引き出すことにより、任意の方向、位置の広範で湯水を吐出できる。このとき、給水ホース１５が過剰に引き出されてしまうおそれがある。
【００５４】
さらに、吐水部１２を吐水管部１１の先端側に移動し、保持部材１１ｄに保持させる際に、給水ホース１５が円滑に挿通孔１６を通って引き込まれないおそれがある。特に、本実施形態のように、グースネック形状の吐水管部１１や、樹脂製の給水ホース１５を採用する場合には、給水ホース１５が円滑に引き込まれない現象が発生することも考えられる。また、本実施形態のように台座部１０の挿通孔１６が屈曲していたり、台座部１０、吐水管部１１、吐水部１２の全体の挿通孔１６が複数個所で屈曲している（複数の屈曲部を有する）場合には、給水ホース１５が円滑に引き込まれない可能性がある。
【００５５】
これに対し、本実施形態の吐水装置Ｂ２（及び洗面台Ａ）においては、図１、図３、図７に示すように、給水ホース１５の吐水装置Ｂ２から奥に引き込まれた部分の所定の位置に錘部材２８が着脱可能に取り付けられている。
【００５６】
本実施形態において、錘部材２８は、例えば、ゴム製で、所定の重量を備え、自重によって給水ホース１５に引き込み力を加え、円滑な引き込みを可能にする機能（引き込み性能の向上機能）を発揮するように形成されている。なお、錘部材２８は、給水ホース１５の過剰な引き出しを防止するストッパ機能（引き出し量を規定する機能）を兼ね備えてもよい。
【００５７】
具体的に、錘部材２８は、太鼓状に形成されるとともに、その一端から他端まで中心軸線上に、給水ホース１５を嵌合して保持するための嵌合孔２８ａが貫通形成されている。さらに、錘部材２８は、中心軸線を含む中心断面で二つに分割可能に形成されており、一方の分割片２８ｂと他方の分割片２８ｃを、互いの半割の嵌合孔２８ａに給水ホースを嵌合させるようにし、ビス３０、ボルトナットなどを用いて一体に結合することにより、給水ホース１５に着脱可能に取り付けられるように構成されている。
【００５８】
そして、このような錘部材２８を給水ホース１５の所定位置に予め取り付けておくと、吐水部１２を吐水管部１１の先端側に移動し、保持部材１１ｄに保持させる際には、給水ホース１５に取り付けられた錘部材２８の重さによって引き込み力が加えられ、給水ホース１５が円滑に挿通孔１６を通って引き込まれることになる。これにより、例えば、本実施形態のようにグースネック形状の吐水管部１１や樹脂製の給水ホース１５を採用した場合であっても、給水ホース１５が円滑に引き込まれないという不都合を解消することができる。なお、錘部材２８の重さは、上記作用効果を得ることができれば、特に限定を必要としないが、例えば１００〜４００ｇ程度が好ましい。
【００５９】
なお、吐水管部１１の先端の保持部材１１ｄから吐水部１２を取り外し、吐水部１２とともに給水ホース１５を所定の長さで引き出した際に、錘部材２８がホースガイド１８に当たるなどして、それ以上、給水ホース１５を引き出すことができなくなるように構成してもよい。この場合には、給水ホース１５が過剰に引き出されるという不都合を解消することができる。
【００６０】
そして、錘部材２８を備えることによって、本実施形態の吐水装置Ｂ２のように（図４に示すように）、吐水装置Ｂ２の通水孔１６内で給水ホース１５が複数点で屈曲する場合や、吐水装置Ｂ２を、横方向を向く取付け面４ａに取り付けるために台座部１０の通水孔１６が屈曲形成されている場合であっても、給水ホース１５が円滑に引き込まれないという不都合、給水ホース１５が過剰に引き出されるという不都合を確実且つ好適に解消することが可能になる。
【００６１】
したがって、本実施形態の吐水装置Ｂ２及び洗面台Ａにおいては、吐水部１２の着脱を好適に行うことが可能になり、使い勝手のよい吐水装置Ｂ２及び洗面台Ａを実現することができる。
【００６２】
以上、本発明に係る吐水装置の一実施形態について説明したが、本発明は上記の一実施形態に限定されるものではなく、その趣旨を逸脱しない範囲で適宜変更可能である。
【００６３】
例えば、本実施形態では、本発明に係る吐水装置が洗面台に設けられているものとしたがこれに限定する必要はない。
【００６４】
また、吐水装置Ｂ２がグースネック形状であるものとして説明を行ったが、本発明は、他のあらゆる形状の吐水装置に適用可能である。
【００６５】
さらに、本実施形態では、吐水装置Ｂ２が水栓装置Ｂ１とともに混合水栓システムＢを構成するものとして説明を行ったが、本発明に係る吐水装置を単独で使用するように構成しても勿論構わない。
【００６６】
また、錘部材２８は、その重さによって給水ホース１５の円滑な引き込みを可能にする機能（引き込み性能の向上機能）を備えていれば、特にその形状、重さ等の構成を本実施形態のように限定する必要はない。
【符号の説明】
【００６７】
１  下部収納キャビネット
２  洗面器
３  ボウル部
４  後方壁部（壁部）
４ａ  前壁（前壁面、横方向を向く取付け面）
５  水栓本体
６  ハンドル
７  入水管
８  入湯管
１０  台座部（基台部）
１０ａ  固定部
１０ｂ  接続部
１１  吐水管部
１１ａ  立上り部
１１ｂ  湾曲部
１１ｃ  ストレート部
１１ｄ  保持部材
１２  吐水部
１２ａ  吐水部本体
１２ｂ  吐水口
１５  給水ホース（樹脂製ホース）
１６  挿通孔（内空の通水孔）
１７  貫通孔
１８  ホースガイド
１９  水抜き孔
２０  継手部材
２０ａ  延出嵌合部
２０ｂ  角部下方延出部
２１  ストップリング
２２  止水部材
２４  屈曲角部
２５  操作つまみ
２６  切替機構（切替ユニット）
２７  連結部材
２８  錘部材
２８ａ  嵌合孔
２８ｂ  一方の分割片
２８ｃ  他方の分割片
２９  ビス
３０  ビス
Ａ  洗面台
Ｂ  混合水栓システム
Ｂ１  水栓装置
Ｂ２  吐水装置
Ｏ１  軸線
Ｏ２  軸線
Ｏ３  軸線
Ｏ４  軸線
Ｏ５  吐水軸線（吐水方向）
【図１】
2020026668.tif 000003
【図２】
2020026668.tif 000004
【図３】
2020026668.tif 000005
【図４】
2020026668.tif 000006
【図５】
2020026668.tif 000007
【図６】
2020026668.tif 000008
【図７】
2020026668.tif 000009